(57)【要約】【課題】新しいスタイルのカップボードなどとして使用可能な、斬新な壁面備え付けの壁面収納装置を提供すること。【解決手段】壁面に備え付けられる壁面収納装置１であって、壁面収納装置の前側の下端に凹部が設けられ、凹部より下方の、壁面収納装置と床１４との間に空間１５が形成される。【選択図】図１
2007222341.tif 000002
【特許請求の範囲】
【請求項１】
壁面に備え付けられる壁面収納装置であって、壁面収納装置の前側の下端に凹部が設けられ、凹部より下方の、壁面収納装置と床との間に空間が形成されていることを特徴とする壁面収納装置。
【請求項２】
凹部内に照明装置が組み込まれている請求項１記載の壁面収納装置。
【請求項３】
装置本体の下端部は空間より壁面側に位置し、下端部に収納庫が設けられている請求項１または２記載の壁面収納装置。
【発明の詳細な説明】
【技術分野】
【０００１】
本願発明は、キッチンの壁面に備え付けられる壁面収納装置に関する。
【背景技術】
【０００２】
キッチンには、食器や、電気炊飯ジャー、電気ポット、電子レンジなどの家電品を収納することのできるカップボードが設置されている。このカップボードには多種多様のものが提供され、収納量の増大、収納および取り出し作業の容易化など、機能性の向上が図られている。
【０００３】
また、収納装置全般についても各種の工夫がなされており、側部収納ユニットを左右に配置し、側部収納ユニットの間に下部収納ユニットが設けられ、側部収納ユニットの上部間に照明ユニットが配設された、ライトアップを可能にした収納装置が提案されている（特許文献１）。
【特許文献１】特開２００２−１２５７７８号公報
【発明の開示】
【発明が解決しようとする課題】
【０００４】
だが、キッチンをこれまでにない新しい作業空間として提供し、利便性や快適性などをさらに高めていくことは非常に重要なことである。
【０００５】
本願発明は、このような事情に鑑みてなされたものであり、新しいスタイルのカップボードなどとして使用可能な、斬新な壁面備え付けの壁面収納装置を提供することを課題としている。
【課題を解決するための手段】
【０００６】
本願発明は、上記の課題を解決するために、第１に、壁面に備え付けられる壁面収納装置であって、壁面収納装置の前側の下端に凹部が設けられ、凹部より下方の、壁面収納装置と床との間に空間が形成されていることを特徴としている。
【０００７】
本願発明は、第２に、凹部内に照明装置が組み込まれていることを特徴としている。
【０００８】
本願発明は、第３に、装置本体の下端部は空間より壁面側に位置し、下端部に収納庫が設けられていることを特徴としている。
【発明の効果】
【０００９】
本願の第１の発明によれば、壁面収納装置の前側の下端に設けられた凹部を利用して照明機能を実現することができる。凹部の存在は隠れているので、凹部内に組み込まれる照明装置は露出せず、壁面収納装置の外観は美麗である。また、凹部より下方の、壁面収納装置と床との間に空間が形成されているので、壁面収納装置は床から浮き上がっているような外観を呈する。これまでに類を見ない全く新しい壁面備え付けの収納装置が提供される。また、空間にはつま先を入れることができ、壁面収納装置により接近することができるため、収納物の収納および取り出しや、電気炊飯ジャーからご飯をつぐ、電気ポットからお湯を注ぐなどの作業が容易となる。
【００１０】
本願の第２の発明によれば、凹部内に組み込まれた照明装置によって間接照明が実現され、趣のある外観を形成することができる。間接照明によって、壁面収納装置は、床からより浮かび上がったように見え、独特な外観が形成される。
【００１１】
本願の第３の発明によれば、装置本体の下端部は空間より壁面側に位置しているので、立位および通常の座位では見ることができない。床から浮き上がっているような外観を阻害しない。しかも、装置本体の下端部には収納庫が設けられているので、装置本体の下端部は、単に台輪として機能するのではなく、収納機能も実現する。収納量の拡大が図れる。照明装置が照射する光は収納庫の前面を照らし、反射するので、人がかがんだ状態では収納庫は明るく見え、収納物の収納および取り出し作業を容易とする。
【発明を実施するための最良の形態】
【００１２】
図１、図２は、それぞれ、本願発明の壁面収納装置の一実施形態を示した正面図、側断面図である。
【００１３】
図１および図２に示したように、壁面収納装置１は、キッチンの壁面２に備え付けられる据え置きタイプの収納装置である。壁面収納装置１は、食器などを収納する収納スペース３を有する装置本体４と、装置本体４の前面開口部５を開閉する左右２枚の扉６とを備えている。扉６は、開き戸、引戸のいずれであってもよく、また、一部は引き出しとすることもできる。装置本体４の収納スペース３は、２枚の扉６を取り外した状態を示した図３の正面図にも示したように、収納物の大きさなどに応じて複数段に仕切ることができ、棚板７の取付けを可能にしている。棚板７は、たとえば、その両側端部においてダボによって支持可能であり、ダボは、装置本体４の側端部を形成する、たとえば側板に取り付けることができる。ダボの取付高さは変更自在とすることができ、棚板７は、取付位置を変えることができる。
【００１４】
壁面収納装置１の上端と天井８との間には、前方に開放された空間９が形成されている。空間９の存在により、壁面収納装置１は高さ方向に余裕を有し、人に与える圧迫感が少なくなっている。壁面収納装置１の上端には、図２に示したように、凹部１０が設けられている。凹部１０は、装置本体４の上端前面部から上方に突設された板体１１によって簡便に形成されている。凹部１０内には、照明装置１２が組み込まれている。このように、凹部１０は、照明機能の実現に利用されている。照明装置１２は天井８に向けて光を照射し、間接照明を実現する。間接照明によって趣のある外観が形成される。照明装置１２には、蛍光灯、ＬＥＤなどの各種のものが採用可能である。
【００１５】
凹部１０を形成する板体１１は、図２に示したように、扉６の裏面上端部に密接可能であり、高さが扉６の高さと略同一とされている。扉６を閉めると、板体１１と扉６とは密接し、相互間に隙間が生じない。このため、埃などが装置本体４の内部に侵入するのが抑制される。また、板体１１の高さが扉６の高さと略同一であるため、板体１１は、図１に示したように、露出せず、また、凹部１０の存在が隠れる。同様に、凹部１０内に設けられた照明装置１２も露出しない。照明機能を有しながらも、壁面収納装置１の外観は美麗である。
【００１６】
壁面収納装置１の前側の下端には凹部１３が設けられている。凹部１３より下方の、壁面収納装置１と床１４との間には、前方に開放された空間１５が形成されている。装置本体４の下端部は、空間１５より壁面２側に位置している。したがって、装置本体４の下端部は、立位および通常の座位では見ることができない。このため、空間１５の存在により、壁面収納装置１は、図１に示したように、床１４から浮き上がっているような外観を呈する。また、空間１５にはつま先を入れることができ、壁面収納装置１により接近することができるため、収納物の収納および取り出し作業が容易となる。
【００１７】
凹部１３の前端部を形成する板体１６の下端は、扉６の下端と略一致している。板体１６は、図２に示したように、扉６を閉めた状態では扉６と密接し、相互間に隙間は生じない。このため、埃などが装置本体４の内部に侵入するのが抑制される。また、板体１６は露出せず、凹部１３の存在も隠れる。凹部１３内には、照明装置１７が組み込まれている。凹部１３は、照明機能の実現に利用されている。照明装置１７は、床１４に向けて光を照射し、間接照明を実現する。間接照明によって、壁面収納装置１は、床１４からより浮かび上がったように見え、独特な外観が形成される。照明装置１７にも、蛍光灯、ＬＥＤなどの各種のものが採用可能である。このような間接照明を行う照明装置１７は、凹部１３内に組み込まれているので、露出せず、壁面収納装置１は、照明機能を有しながらも、外観は美麗である。
【００１８】
図２に示したように、装置本体４の空間１５より壁面２側に位置する下端部には、収納庫１８が設けられている。収納庫１８は、開き戸式や引戸式のものであってよく、また、引き出しとすることもできる。装置本体４の下端部は単に台輪として機能するだけでなく、収納機能も実現することができる。このため、収納庫１８によって収納量の拡大が図れる。照明装置１７は、収納庫１８より前側に位置するので、収納庫１８の前面も照らすことができる。人がかがんだ状態では、光が収納庫１８の前面で反射し、収納庫１８が明るく見える。収納物の収納および取り出し作業を容易とする。なお、開き戸式とする場合の扉、そして引き出しは、開けるときに、凹部１３内に組み込んだ照明装置１７と接触することのない高さ範囲内に収めるようにする。
【００１９】
図４は、本願発明の壁面収納装置の別の実施形態を示した正面図である。
【００２０】
図４に示した壁面収納装置２１は、左右両側部に配置された収納ユニット２２、２３と、電気炊飯ジャー、電気ポット、電子レンジ、食器洗浄乾燥機などの家電品の収納を可能にした家電収納部２４を備えた家電収納ユニット２５とを備えている。家電収納ユニット２５は、収納ユニット２２、２３の間に２連として配設されている。
【００２１】
収納ユニット２２、２３は、大きさが、図１〜図３に示した壁面収納装置１の略半分である以外は、ほぼ同様な構成となっている。すなわち、ユニット本体は、食器などを収納する収納スペースを有し、収納スペースは、収納物の大きさなどに応じて複数段に仕切ることができ、棚板の取付けを可能にしている。ユニット本体には、前面開口部を開閉する扉６が取り付けられている。扉６は開き戸としている。
【００２２】
家電収納ユニット２５は、図５の側断面図にも示したように、上中下の３段に区画されている。上段は、収納ユニット２２、２３と同様に、食器などの収納が可能で、棚板７の取付けが可能な収納部２６とされている。収納部２６には、開き戸式の扉６が前面に配設されている。中段は、家電収納部２４であり、電気炊飯ジャー、電気ポット、電子レンジ、食器洗浄乾燥機などの家電品の収納を可能にしている。家電収納部２４は、たとえば箱状のものとすることができ、電気炊飯ジャーや電気ポットを収納可能とする。電子レンジや食器洗浄乾燥機は家電収納部２４に一体的に嵌め込み、いわゆるビルトインタイプのものとすることができる。下段は、引き出し２７とされている。
【００２３】
このような収納ユニット２２、２３および家電収納ユニット２５から構成されている壁面収納装置２１も、図１〜図３に示した壁面収納装置１と同様に、キッチンの壁面２に備え付けられる据え置きタイプの収納装置である。横幅は、壁面２の片端から他端までの全長にわたっている。壁面収納装置２１の上端と天井８との間には、前方に開放された空間９が形成されている。空間９の存在により、壁面収納装置２１は高さ方向に余裕を有し、壁面２の片端から他端までの全長にわたって設けられていながらも、人に与える圧迫感が非常に少なくなっている。壁面収納装置２１の上端には、図５に示したように、凹部１０が設けられている。凹部１０は、収納ユニット２２、２３および家電収納ユニット２５のユニット本体により組み上げられる装置本体の上端前面部から上方に突設された板体１１によって簡便に形成されている。壁面収納装置２１は、壁面２の片端から他端までの全長にわたっているため、凹部１０の側端部に化粧を施す必要がない。凹部１０内には、照明装置１２が組み込まれ、凹部１０は、照明機能の実現に利用されている。照明装置１２は天井８に向けて光を照射し、間接照明を実現する。間接照明によって、趣のある外観が形成される。照明装置１２には、蛍光灯、ＬＥＤなどの各種のものが採用可能である。
【００２４】
凹部１０を形成する板体１１は、図５に示したように、扉６の裏面上端部に密接可能であり、高さが扉６の高さと略同一とされている。扉６を閉めると、板体１１と扉６とは密接し、相互間に隙間が生じない。このため、埃などが装置本体の内部に侵入するのが抑制される。また、板体１１の高さが扉６の高さと略同一であるため、板体１１は、図４に示したように、露出せず、また、凹部１０の存在が隠れる。同様に、凹部１０内に設けられた照明装置１２も露出しない。照明機能を有しながらも、壁面収納装置２１の外観は美麗である。
【００２５】
壁面収納装置２１の前側の下端には凹部１３が設けられている。凹部１３より下方の、壁面収納装置２１と床１４との間には、前方に開放された空間１５が形成されている。装置本体の下端部は、空間１５より壁面２側に位置している。したがって、装置本体の下端部は、立位および通常の座位では見ることができない。このため、空間１５の存在により、壁面収納装置２１は、図４に示したように、床１４から浮き上がっているような外観を呈する。また、空間１５にはつま先を入れることができ、壁面収納装置１により接近することができるため、収納物の収納および取り出し作業が容易となる。さらに家電収納ユニット２５では、電気炊飯ジャーからご飯をつぐ、電気ポットからお湯を注ぐなどの作業が容易となる。
【００２６】
凹部１３の前端部を形成する板体１６の下端は、扉６および引き出し２７の前板の下端と略一致している。板体１６は、扉６および引き出し２７を閉めた状態では扉６および引き出し２７の前板と密接し、相互間に隙間は生じない。このため、埃などが装置本体の内部に侵入するのが抑制される。また、板体１６は露出せず、凹部１３の存在も隠れる。凹部１３内には、照明装置１７が組み込まれており、凹部１３は、照明機能の実現に利用されている。照明装置１７は、床１４に向けて光を照射し、間接照明を実現する。間接照明によって、壁面収納装置２１は、床１４からより浮かび上がったように見え、独特な外観が形成される。照明装置１７にも、蛍光灯、ＬＥＤなどの各種のものが採用可能である。このような間接照明を行う照明装置１７は、凹部１３内に組み込まれているので、露出せず、壁面収納装置２１は、照明機能を有しながらも、外観は美麗である。
【００２７】
収納ユニット２２、２３および家電収納ユニット２５の本体により組み上げられる装置本体の空間１５より壁面２側に位置する下端部には、図５に示したように、収納庫１８が設けられている。収納庫１８は、開き戸式や引戸式のものであってよく、また、引き出しとすることもできる。装置本体の下端部は単に台輪として機能するだけでなく、収納機能も実現することができる。このため、収納庫１８によって収納量の拡大が図れる。照明装置１７は、収納庫１８より前側に位置するので、収納庫１８の前面も照らすことができる。人がかがんだ状態では、光が収納庫１８の前面で反射し、収納庫１８が明るく見える。収納物の収納および取り出し作業を容易とする。なお、開き戸式とする場合の扉、そして引き出しは、開けるときに、凹部１３内に組み込んだ照明装置１７と接触することのない高さ範囲内に収めるようにする。
【００２８】
さらに、図４に示した壁面収納装置２１では、家電収納ユニット２５に設けられた家電収納部２４に収納される電気炊飯ジャー、電気ポット、電子レンジ、食器洗浄乾燥機などの家電品からの排気を、壁面収納装置２１の上端に設けられた凹部１０を通じて行えるようにしている。具体的には、図５に示したように、家電収納部２４の壁面２側から上端の凹部１０に向かって壁面２に沿ってのびる排気ダクト２８が家電収納ユニット２５に設けられている。家電品から排出される水蒸気などを含んだ排気は、排気ダクト２８内に導かれ、凹部１０から壁面収納装置２１と天井８との間の空間９に排出される。このように、凹部１０は、排気通路としても利用することができ、壁面収納装置２１は機能性に優れている。
【００２９】
なお、排気ダクト２８は凹部１０に臨むまでの長さとし、上端を凹部１０内に収める。排気ダクト２８の露出を防止し、壁面収納装置２１の外観を良好にする。また、排気ダクト２８を配設する関係で、家電収納部２４から上側の家電収納ユニット２５は、その奥行きが、排気ダクト２８の外径分短くなっている。
【００３０】
以上の通り、壁面収納装置１、２１は、利便性や快適性などが高く、また、機能的でもあり、新しいスタイルのカップボードなどとして使用可能である。キッチンをこれまでにない新しい作業空間として提供することができる。
【図面の簡単な説明】
【００３１】
【図１】本願発明の壁面収納装置の一実施形態を示した正面図である。
【図２】図１に示した壁面収納装置の側断面図である。
【図３】図１に示した壁面収納装置の扉を取り外した状態を示した正面図である。
【図４】本願発明の壁面収納装置の別の実施形態を示した正面図である。
【図５】図４に示した壁面収納装置における家電収納ユニットの側断面図である。
【符号の説明】
【００３２】
１    壁面収納装置
２    壁面
３    収納スペース
４    装置本体
５    前面開口部
６    扉
７    棚板
８    天井
９    空間
１０    凹部
１１    板体
１２    照明装置
１３    凹部
１４    床
１５    空間
１６    板体
１７    照明装置
１８    収納庫
２１    壁面収納装置
２２、２３    収納ユニット
２４    家電収納部
２５    家電収納ユニット
２６    収納部
２７    引き出し
２８    排気ダクト
【図１】
2007222341.tif 000003
【図２】
2007222341.tif 000004
【図３】
2007222341.tif 000005
【図４】
2007222341.tif 000006
【図５】
2007222341.tif 000007